(57)【特許請求の範囲】
【請求項１】
測定器具を回転自在に支持する軸を固定保持する固定部と前記測定器具との向きを一致させ、これら固定部および測定器具間に設けられた回転防止部により、前記測定機器の前記軸を中心とした前記固定部に対する回転を一時的に阻止した状態で仮設置しておき、前記測定器具の向きを、前記固定部に設けられた方位計測手段が所定方位を指し示す基準方位に設定することにより前記測定器具を計測地点に設置する測定器具設置装置であって、
前記固定部から側方に延設され、当該側方に向けた長手方向に伸縮自在な連結部と、
前記連結部を介して前記固定部と連結され、補助側方位計測手段を有する補助測定部と、を備え、
前記連結部は、
一端側または他端側の少なくとも一方が前記固定部または前記補助測定部に対し、接続部を中心とする水平方向に回動可能に取り付けられており、
前記測定器具を前記仮設置した後、前記連結部を回動させることによって前記固定部に対する前記補助測定部の取付角度を所定のオフセット値に基づいて設定すると共に、当該連結部を所定条件に基づいて伸縮させた状態で、前記測定機器を前記補助側方位計測手段が指し示す北方位に設定して設置する
ことを特徴とする測定器具設置装置。
【請求項２】
電力を供給可能な電源を更に備え、
前記補助測定部は、
前記電源のオン・オフを切り替える切替部と、
補助側方位計測手段に設けられ、指針の端部に配置される可動接触部および北方位の位置に配置される固定接触部と、
前記指針が北方位を指したことを報知する報知手段と、を有し、
前記補助側方位計測手段は、前記指針が北方位を指すことで、前記可動接触部が前記固定接触部に接触して前記電源に接続する電路を開通させ、
前記報知手段は、前記切替部によって前記電源がオンにされた状態にて、前記補助側方位計測手段によって前記電路が開通されると、前記指針が北方位を指したことを報知することを特徴とする請求項１に記載の測定器具設置装置。
【請求項３】
前記補助側方位計測手段の前記指針が指し示す北方位は、
前記固定部の前記方位計測手段が北方位を指し示す前記基準方位に対し、前記所定のオフセット値としての偏角に基づいて補正された真北であることを特徴とする請求項１または２に記載の測定器具設置装置。
【請求項４】
前記連結部は、
前記固定部に接続される第一連結部と、
前記補助測定部に接続される第二連結部と、
前記第一連結部および前記第二連結部間に配設され、これら第一連結部および第二連結部を前記長手方向に摺動自在に保持する保持部と、を有することを特徴とする請求項１〜３のいずれか一項に記載の測定器具設定装置。
【請求項５】
前記報知手段は、前記電路の開通によって前記電源から電力が供給されることで点灯または点滅する光源装置からなることを特徴とする請求項２〜４のいずれか一項に記載の測定器具設定装置。
【請求項６】
前記報知手段は、前記電路の開通によって前記電源から電力が供給されることで音を発生させる発音装置からなることを特徴とする請求項２〜４のいずれか一項に記載の測定器具設定装置。
【請求項７】
前記電源は、前記固定部に配設されており、
前記補助測定部の前記電路に対し、前記連結部に設けられる電力伝達手段を介して電気的に接続されていることを特徴とする請求項２〜６のいずれか一項に記載の測定器具設定装置。
【請求項８】
前記電源は、前記補助測定部に配設されており、
前記電路に対し、電気的に接続されていることを特徴とする請求項２〜６のいずれか一項に記載の測定器具設定装置。
【請求項９】
前記切替部は、外部からの信号を受信する受信部を有し、
前記受信部によって所定の切替信号を受信すると、前記電源のオン・オフを切り替えることを特徴とする請求項２〜８のいずれか一項に記載の測定器具設定装置。
【請求項１０】
前記回転防止部は、
一端側に設けられ、前記固定部に取り付けられる取付部と、
前記一端側とは反対の他端側に設けられ、前記測定器具を保持する保持部と、を有し、
前記保持部は、前記取付部に対して伸縮自在に係合される
ことを特徴とする請求項１〜９のいずれか一項に記載の測定器具設置装置。
【請求項１１】
前記固定部は、前記測定器具の設置状態の水平具合を計測する水平計測手段を備えていることを特徴とする請求項１〜１０のいずれか一項に記載の測定器具設置装置。
【請求項１２】
測定器具を回転自在に支持する軸を固定保持する固定部と前記測定器具との向きを一致させ、これら固定部および測定器具間に設けられた回転防止部により、前記測定機器の前記軸を中心とした前記固定部に対する回転を一時的に阻止した状態で仮設置しておき、前記測定器具の向きを、前記固定部に設けられた方位計測手段が所定方位を指し示す基準方位に設定することにより前記測定器具を計測地点に設置する測定器具設置方法であって、
前記固定部から側方に延設され、当該側方に向けた長手方向に伸縮自在な連結部を介して前記固定部と、補助側方位計測手段を有する補助測定部と、を連結し、
前記測定器具を前記仮設置した後、
一端側または他端側の少なくとも一方が前記固定部または前記補助測定部に対し、接続部を中心とする水平方向に回動可能に取り付けられた前記連結部を回動させることによって前記固定部に対する前記補助測定部の取付角度を所定のオフセット値に基づいて設定すると共に、当該連結部を所定条件に基づいて伸縮させた状態で、前記測定機器を前記補助側方位計測手段が指し示す北方位に設定して設置する
ことを特徴とする測定器具設置方法。
【請求項１３】
前記補助側方位計測手段は、指針が北方位を指すことで、当該指針の端部に配置される可動接触部が北方位の位置に配置される固定接触部に接触して、電力を供給可能な電源に接続する電路を開通させ、
前記補助測定部に設けられた報知手段は、前記電源のオン・オフを切り替える切替部によって当該電源がオンにされた状態にて、前記補助側方位計測手段によって前記電路が開通されると、前記指針が北方位を指したことを報知することを特徴とする請求項１２に記載の測定器具設置方法。
【請求項１４】
前記補助側方位計測手段の前記指針が指し示す北方位は、
前記固定部の前記方位計測手段が北方位を指し示す前記基準方位に対し、前記所定のオフセット値としての偏角に基づいて補正された真北であることを特徴とする請求項１２または１３に記載の測定器具設置方法。
【請求項１５】
前記切替部は、外部からの信号を受信する受信部を有し、
前記受信部によって所定の切替信号を受信すると、前記電源のオン・オフを切り替えることを特徴とする請求項１３または１４に記載の測定器具設定方法。
【発明の詳細な説明】
【技術分野】
【０００１】
本発明は、風向風速計等の方位を設定して測定する器具の設置に用いる測定器具設置装置および測定器具設置方法に関する。
【背景技術】
【０００２】
この種の方位を設定して測定する器具として、風向および風速を測定する風向風速計が一般的に知られている。かかる風向風速計は、風の速度をその方位を含めて測定するもので、通常、所定の方位（例えば、北方位（磁北））を基準として設置される。【０００３】
例えば、特許文献１には、方位磁針（磁気コンパス）等の方位計測手段が取り付けられた方位盤を設けた下方の支持台と、当該方位盤に立設された固定支持棒に固定され、当該方位盤の上方に位置する上方の支持台と、これら上下の支持台間を貫通して設けられ、下端に方位指針・上端に風速計をそれぞれ支持する回転支持棒と、を備えた風向風速計が開示されている。この回転支持棒は、上下の支持台に対し、それぞれベアリング等を介して支持されることで、方位盤の中央部に対して垂直方向に回動自在に設けられている。そして、回転支持棒の上端に設けられた風速計によって風速を測定すると共に、当該風速計に設けられた風受け羽根によって風を受けることにより回転支持棒と一体に回転され、方位盤上を下端の方位指針によって指示することで方位を測定するようになっている。
【先行技術文献】
【特許文献】
【０００４】
【特許文献１】実開平６−２２９６１号公報
【発明の概要】
【発明が解決しようとする課題】
【０００５】
ところで、かかる特許文献１にも記載されているように、従来の風向風速計では、方位盤に設けられた磁気コンパスにより方位を確認し、設置方向が基準となる方位（磁北）となるように設置することになっている。【０００６】
しかしながら、特許文献１の風向風速計を含め、従来の風向風速計では、回転支持棒が支持台に対して回転自在に設けられているため、設置の際に風を受けると風向に応じて回転してしまう。そのため、設置に際しては一人が風向風速計を押さえ、もう一人が磁北を確認しながら設定するというように、二人掛かりで設置しなければならず、設定作業に人員と手間（労力）が掛っていた。【０００７】
また、一人で設置する際は、風向風速計を押さえつつ、磁気コンパスを見ながら磁北を確認して設定しなければならず、設定作業が煩雑になることに加えて設定時に誤差が生じ易くなる問題があった。【０００８】
加えて、磁北の設定される方位に鉄製の支柱等のような磁性体構造物が存在する場合、当該磁性体構造物からの磁界の影響を受けることで磁気コンパスの示す方位に乱れが生じ、設置方位を磁北へ設定する作業が困難となり労力が増える問題があった。【０００９】
また、一般に磁北とは磁気コンパスが指し示す北の方角であり、地球の実際上の北極を指す子午線の向きとは一致しない。そのため、真北の方向を得るには、子午線との誤差である偏角（例えば、日本の場合７．０°〜７．３°程度）の補正が必要となる。そのため、設置方位を磁北に設定できたとしても、正確に真北へ設定するには、偏角の補正等の更なる労力が掛かり設置作業の困難性が増す問題もあった。【００１０】
そこで、本発明は、測定器具の設置作業における労力を必要最小限とし、測定器具の設置方位を簡単かつ正確に設定可能とする測定器具設置装置および測定器具設置方法を提供することを目的とする。
【課題を解決するための手段】
【００１１】
上記課題を解決するために、本発明に係る測定器具設置装置は、
測定器具を回転自在に支持する軸を固定保持する固定部と前記測定器具との向きを一致させ、これら固定部および測定器具間に設けられた回転防止部により、前記測定機器の前記軸を中心とした前記固定部に対する回転を一時的に阻止した状態で仮設置しておき、前記測定器具の向きを、前記固定部に設けられた方位計測手段が所定方位を指し示す基準方位に設定することにより前記測定器具を計測地点に設置する測定器具設置装置であって、
前記固定部から側方に延設され、当該側方に向けた長手方向に伸縮自在な連結部と、
前記連結部を介して前記固定部と連結され、補助側方位計測手段を有する補助測定部と、を備え、
前記連結部は、
一端側または他端側の少なくとも一方が前記固定部または前記補助測定部に対し、接続部を中心とする水平方向に回動可能に取り付けられており、
前記測定器具を前記仮設置した後、前記連結部を回動させることによって前記固定部に対する前記補助測定部の取付角度を所定のオフセット値に基づいて設定すると共に、当該連結部を所定条件に基づいて伸縮させた状態で、前記測定機器を前記補助側方位計測手段が指し示す北方位に設定して設置するようになっている。【００１２】
また、本発明に係る測定器具設置装置において、
電力を供給可能な電源を更に備え、
前記補助測定部は、
前記電源のオン・オフを切り替える切替部と、
補助側方位計測手段に設けられ、指針の端部に配置される可動接触部および北方位の位置に配置される固定接触部と、
前記指針が北方位を指したことを報知する報知手段と、を有し、
前記補助側方位計測手段は、前記指針が北方位を指すことで、前記可動接触部が前記固定接触部に接触して前記電源に接続する電路を開通させ、
前記報知手段は、前記切替部によって前記電源がオンにされた状態にて、前記補助側方位計測手段によって前記電路が開通されると、前記指針が北方位を指したことを報知することが好ましい。【００１３】
このとき、前記補助側方位計測手段の前記指針が指し示す北方位は、
前記固定部の前記方位計測手段が北方位を指し示す前記基準方位に対し、前記所定のオフセット値としての偏角に基づいて補正された真北であることが望ましい。【００１４】
また、本発明に係る測定器具設置装置において、
前記連結部は、
前記固定部に接続される第一連結部と、
前記補助測定部に接続される第二連結部と、
前記第一連結部および前記第二連結部間に配設され、これら第一連結部および第二連結部を前記長手方向に摺動自在に保持する保持部と、を有することが好ましい。【００１５】
このとき、前記報知手段は、前記電路の開通によって前記電源から電力が供給されることで点灯または点滅する光源装置からなることとしても良い。
また、報知手段は、前記電路の開通によって前記電源から電力が供給されることで音を発生させる発音装置からなることとしても良い。【００１６】
また、本発明に係る測定器具設置装置において、
前記電源は、前記固定部に配設されており、
前記補助測定部の前記電路に対し、前記連結部に設けられる電力伝達手段を介して電気的に接続されていることとしても良い。【００１７】
また、本発明に係る測定器具設置装置において、
前記電源は、前記補助測定部に配設されており、
前記電路に対し、電気的に接続されていることとしても良い。【００１８】
さらに、本発明に係る測定器具設置装置において、
前記切替部は、外部からの信号を受信する受信部を有し、
前記受信部によって所定の切替信号を受信すると、前記電源のオン・オフを切り替えることとしても良い。【００１９】
このとき、前記回転防止部は、
一端側に設けられ、前記固定部に取り付けられる取付部と、
前記一端側とは反対の他端側に設けられ、前記測定器具を保持する保持部と、を有し、
前記保持部は、前記取付部に対して伸縮自在に係合されることが好ましい。【００２０】
また、本発明に係る測定器具設置装置において、
前記固定部は、前記測定器具の設置状態の水平具合を計測する水平計測手段を備えていることが好ましい。【００２１】
また、本発明に係る測定器具設置方法は、
測定器具を回転自在に支持する軸を固定保持する固定部と前記測定器具との向きを一致させ、これら固定部および測定器具間に設けられた回転防止部により、前記測定機器の前記軸を中心とした前記固定部に対する回転を一時的に阻止した状態で仮設置しておき、前記測定器具の向きを、前記固定部に設けられた方位計測手段が所定方位を指し示す基準方位に設定することにより前記測定器具を計測地点に設置する測定器具設置方法であって、
前記固定部から側方に延設され、当該側方に向けた長手方向に伸縮自在な連結部を介して前記固定部と、補助側方位計測手段を有する補助測定部と、を連結し、
前記測定器具を前記仮設置した後、
一端側または他端側の少なくとも一方が前記固定部または前記補助測定部に対し、接続部を中心とする水平方向に回動可能に取り付けられた前記連結部を回動させることによって前記固定部に対する前記補助測定部の取付角度を所定のオフセット値に基づいて設定すると共に、当該連結部を所定条件に基づいて伸縮させた状態で、前記測定機器を前記補助側方位計測手段が指し示す北方位に設定して設置するようになっている。【００２２】
また、本発明に係る測定器具設置方法において、
前記補助側方位計測手段は、指針が北方位を指すことで、当該指針の端部に配置される可動接触部が北方位の位置に配置される固定接触部に接触して、電力を供給可能な電源に接続する電路を開通させ、
前記補助測定部に設けられた報知手段は、前記電源のオン・オフを切り替える切替部によって当該電源がオンにされた状態にて、前記補助側方位計測手段によって前記電路が開通されると、前記指針が北方位を指したことを報知することが好ましい。【００２３】
このとき、前記補助側方位計測手段の前記指針が指し示す北方位は、
前記固定部の前記方位計測手段が北方位を指し示す前記基準方位に対し、前記所定のオフセット値としての偏角に基づいて補正された真北であることが望ましい。【００２４】
さらに、本発明に係る測定器具設置方法において、
前記切替部は、外部からの信号を受信する受信部を有し、
前記受信部によって所定の切替信号を受信すると、前記電源のオン・オフを切り替えることとしても良い。
【発明の効果】
【００２５】
本発明によれば、測定器具の設置作業における労力を必要最小限とし、測定器具の設置方位を簡単かつ正確に設定できる。
【図面の簡単な説明】
【００２６】
【図１】本発明の一実施形態として説明する測定器具設置装置の概略構成を上方から見て示す平面図である。
【図２】図１の測定器具設置装置の概略構成を示す側面図である。
【図３】図１の測定器具設置装置における要部を拡大して示す拡大平面図である。
【図４】図３の要部における一部を拡大して示す構成図である。
【図５】図３の補助測定部における電路の構成を概略的に示すブロック図である。
【発明を実施するための形態】
【００２７】
以下、本発明の一実施形態に係る測定器具設置装置について図面を参照しながら説明する。
【００２８】
図１〜図２に示すように、本実施形態による測定器具設置装置１は、測定器具（例えば、風向風速計２）を計測地点に設置するものであって、風向風速計２を回転自在に支持する軸３を固定保持する固定部１０と、これら固定部１０と風向風速計２との間を連結して設けられ、当該風向風速計２の軸３に対する回転を阻止する回転防止部１１と、固定部１０に設けられた方位計測手段としての磁気コンパス１２と、を備えている。
【００２９】
ここで、風向風速計２は既存の一般的なものであって、軸３に取り付けられる基部２０と、本体２１と、当該本体２１の先端に回転自在に配設されるプロペラ２２と、本体２１のプロペラ２２とは反対の後端に垂直方向に配設される翼２３とを備えている。また、本体２１の下方に位置する基部２０にはプロペラ２２が風を受けることにより回転して計測する風速を測定するための測定部２４が設けられている。なお、本実施形態の測定器具設置装置１では、風向風速計２に限らず、軸３に対して回転可能に支持される各種測定器具を広く適用可能であるため、ここでは既存の風向風速計２の詳細な説明は割愛する。
【００３０】
具体的に、図２に示すように、この測定器具設置装置１においては、例えば角材などからなる固定部１０の略中心部位に軸３を配置して固定保持するようになっている。また、固定部１０の先端側は方位を指し示すように尖った形状をなし、方位計測手段としての磁気コンパス１２が設けられている。
【００３１】
固定部１０の後端側には、回転防止部１１が設けられている。この回転防止部１１は、一端側に設けられ、固定部１０にボルト４を介して取り付けられる取付部１１ａを備えている。また、回転防止部１１は、取付部１１ａから延設されるスライド保持部１１ｂと、このスライド保持部１１ｂにスライド自在に保持され、一端側とは反対の他端側に配置されることで、風向風速計２を保持する保持部１１ｃと、を有している。これら取付部１１ａとスライド保持部１１ｂとは、側面視略Ｌ字形状をなしている。
【００３２】
保持部１１ｃは、例えば風向風速計２側の端部が略Ｙ字形状をなし、これによって風向風速計２を軸３に対して回転しないように保持可能となっている。
また、保持部１１ｃは、取付部１１ａに対してスライド保持部１１ｂにおける調整ボルト５の操作により伸縮自在に係合されている。
【００３３】
固定部１０の軸３を固定保持する部位には、一方側へ向けて湾曲した湾曲部１０ａが設けられている。これと共に、固定部１０には湾曲部１０ａに対向して配置され、一方側とは反対の他方側へ向けて湾曲したヒンジ部１０ｂ，１０ｃが設けられている（図１参照）。
【００３４】
かかるヒンジ部１０ｂ，１０ｃは、例えば、二つの部材が連結されることで上述の湾曲形状をなすように構成されており、一方のヒンジ部１０ｂには、他方のヒンジ部１０ｃとの連結部位に切欠部１０ｂａが設けられている。また、他方のヒンジ部１０ｃには、一方のヒンジ部１０ｂとの連結部位に貫通孔１０ｃａが貫設されている。
【００３５】
そして、ヒンジ部１０ｃの貫通孔に螺合されるボルト４にヒンジ部１０ｂの切欠部１０ｂａを係合させ、当該ボルト４を締め付けることで、これらヒンジ部１０ｂ，１０ｃを連結するようになっている。また、これらヒンジ部１０ｂ，１０ｃと湾曲部１０ａとの間に形成される略円形状の空間に軸３が配置され、ボルト４を締め付けることで、かかる軸３を固定部１０に対して固定保持するようになっている。
【００３６】
さらに、固定部１０には、風向風速計２の設置状態の水平具合を計測する水平器１３が設けられていても良く、この場合、より一層、風向風速計２を正確に設置可能とする効果を奏することができる。
【００３７】
本実施形態の場合、測定器具設置装置１は、固定部１０の側方（この場合、例えば、図１の紙面における固定部の右側）に、風向風速計２の設置方位の設定を補助するための補助測定部３０が設けられている。すなわち、かかる測定器具設置装置１では、固定部１０の側方に補助測定部３０を設けることで、前述した磁北に対して偏角分の調整が可能となり、風向風速計２の設置方位を真北に設定できるようになっている。
【００３８】
具体的に、この測定器具設置装置１は、図３に示すように、前述した構成に加えて、固定部１０から側方に延設され、当該側方に向けた長手方向に伸縮自在な連結部４０と、当該連結部４０を介して固定部１０と連結される補助測定部３０と、電力を供給可能なバッテリー等の電源３４と、を更に備えている。
【００３９】
連結部４０は、固定部１０に接続される第一連結部４１と、補助測定部３０に固定される第二連結部４２と、これら第一連結部４１および第二連結部４２間に配設され、これら第一連結部４１および第二連結部４２を前述の長手方向に摺動自在に保持する保持部４３と、を有している。
【００４０】
連結部４０の一端側（第一連結部４１の一端側）は固定部１０に対し、固定部１０との接続部である取付軸４１ａを中心として水平方向に回動可能に取り付けられている。例えば、図３に示すように、固定部１０における第一連結部４１との接続部位には、連結部４０の取付角度調整部５０が設けられている。この取付角度調整部５０は、固定部１０に貫設された開口５１，５１と、その外周に沿って角度を示す目盛５２と、当該目盛５２に対する連結部４０の取付角度を示す角度表示部５３と、を有している。
【００４１】
第一連結部４１の一端側は、この取付角度調整部５０に対して取付軸４１ａを回転中心に回動可能に取り付けられ、開口５１に挿通して係合される移動用ネジ４１ｂを締め付けたり、緩めたりすることによって、固定部１０に対する連結部４０の取付角度を任意の位置で設定できるようになっている。すなわち、移動用ネジ４１ｂを緩め、第一連結部４１に設けられた表示窓４１ｄを介して目盛５２を見ながら、角度表示部５３が所望する角度を示す位置まで一連結部４０を固定部１０に対して取付軸４１ａを回転中心に回動させる。つまり、固定部１０に対する連結部４０の角度を偏角に応じた角度（例えば、日本においては、７．０°〜７．３°）分ずらすように、連結部４０を回動させる。そして、所望する位置において移動用ネジ４１ｂを締め付けることによって、固定部１０に対する連結部４０の取付角度を設定する。これにより、風向風速計２の設置方位を偏角も基づいて補正できるようになっている。
【００４２】
また、連結部４０の他端側（第二連結部４２の一端側）は補助測定部３０の略中心に対し固定されている。図３に示すように、かかる補助測定部３０は、固定部１０と同様に角材などからなり、略中心部に取付片３１が例えば一対で設けられ、これら取付片３１，３１間に連結部４０における第二連結部４２の一端側が固定用ネジ４２ａ、または釘（不図示）等の固定手段を介して固定されている。
【００４３】
そして、保持部４３は、例えば中空の角柱形状をなしており、両端の開口部分からそれぞれ第一連結部４１の他端側と、第二連結部４２の他端側とが挿通され、これらを摺動自在に保持するようになっている（図４参照）。なお、図３には示しているものの図４では、第一連結部４１と保持部４３との接続部分に関してのみ図示し、第二連結部４２と保持部４３との接続部分については、同様に構成されていることから、便宜上、割愛するものとする。
【００４４】
このとき、図４に示すように、これら第一連結部４１の他端側（第二連結部４２の他端側も同様）には、内部に設けられたスプリング等の弾性部材（不図示）によって外方へと付勢されたボタン４１ｃ（４２ｂ）が突設されている。また、保持部４３には所定間隔等に前述のボタン４１ｃ（４２ｂ）に対応した貫通孔４３ａが穿設されている。そして、所望する伸縮度合いに応じた位置の貫通孔４３ａに第一連結部４１（第二連結部４２）のボタン４１ｃをスライド移動させて嵌合させることで、連結部４０全体の長さを調整可能としている。
【００４５】
図３に戻って、補助測定部３０には、先端側に補助側方位計測手段としての磁気コンパス３２が配設されている。この磁気コンパス３２は、指針の端部に配置される可動接触部３２ａと、北方位の位置に配置される固定接触部３２ｂと、を有し、指針が北方位を指すことで磁北を計測すると、可動接触部３２ａが固定接触部３２ｂに接触して、電源３４に接続する電路（詳細は後述する）を開通させるようになっている。
【００４６】
また、補助測定部３０は、電源３４のオン・オフを切り替える切替部としてのスイッチ３５と、このスイッチ３５によって電源３４がオン状態となり、磁気コンパス３２によって前述の電路が開通されると、指針が北方位を指したことを報知する報知手段であるＬＥＤ（発光ダイオード）などの光源装置３３が設けられている。そして、これら磁気コンパス３２，報知手段としてのＬＥＤ３３，電源３４，スイッチ３５は、図５に示すような電路を介して電気的に接続されている。
【００４７】
なお、ここでは、報知手段として光源装置３３を適用する場合について述べるが、本発明はこれに限ることはない。要は、スイッチ３５によって電源３４がオン状態となり、磁気コンパス３２によって前述の電路が開通されると、指針が北方位を指したことを報知するものであれば、この他、例えば、ブザー音や音声によって報知可能な発音装置を含めた種々のものを広く適用可能である。但し、ＬＥＤを用いた光源装置３３を適用した場合、視覚的な観点から報知できる上、消費電力の低減を図ることが可能となる効果を奏することができる利点がある。また、ブザー音を発生する発音装置を適用した場合、聴覚的な観点から報知できる上、構成を簡易化することが可能となる効果を奏することができる利点がある。
【００４８】
また、スイッチ３５は、例えば補助測定部３０が作業者の身長よりも高い位置に配置される場合、無線等の遠隔操作を可能とするべく、操作信号の受信部で構成されても良い。この場合、作業者がリモートコントローラ（リモコン６）を操作することによって送信した電源３４のオン・オフ切替信号を、スイッチ３５の受信部（不図示）が受信し、電源３４を切り替えるようにする。これにより、北方位に障害物がある等の理由から補助測定部３０が作業者の身長よりも高所に配置される場合にも対応可能とすることができる（図５参照）。
【００４９】
なお、本実施形態では、電源３４が補助測定部３０に配設されている場合について図示している。この場合、電源３４は電路が配設される補助測定部３０に設けられているので、構成を簡略化でき、電路に対して直接、電気的に接続可能となるが、一例であってこれに限ることはない。例えば、電源３４は、固定部１０に配設され、補助測定部３０の電路に対し、連結部４０に設けられるコネクタ配線等の電力伝達手段を介して電気的に接続されても良い。この場合、補助測定部３０に電源３４を配置しない分、その構成を簡略化したり、軽量化したりできる利点を備えることができる。
【００５０】
かかる構成の測定器具設置装置１では、風向風速計２および固定部１０の向きを一致させた状態で、回転防止部１１により固定部１０に対する風向風速計２の回転を阻止することで、風向風速計２を仮設置する。その後、固定部１０に対する連結部４０の取付角度を所定のオフセット値である偏角に基づいて設定（補正）する。これと共に、風向風速計２の設置位置の北方位に鉄製の支柱等のような磁性体構造物が存在する場合、連結部４０を所定条件に基づいて（例えば、磁性体構造物を避ける位置まで）伸縮させる。そして、この状態で光源装置３３が点灯（または点滅）するまで固定部１０を軸３を中心に回転させる。これにより、風向風速計２を磁気コンパス３２が北方位を指し示す磁北（真北）に設定して設置できるようになっている。
【００５１】
以上、説明したように、本実施形態の測定器具設置装置１は、風向風速計２を回転自在に支持する軸３を固定保持する固定部１０と風向風速計２との向きを一致させ、これら固定部１０および風向風速計２間に設けられた回転防止部１１により、風向風速計２の軸３を中心とした固定部１０に対する回転を一時的に阻止した状態で仮設置しておき、風向風速計２の向きを、固定部１０に設けられた磁気コンパス１２が北方位を指し示す磁北（真北）に設定することにより風向風速計２を計測地点に設置するものであって、固定部１０から側方に延設され、当該側方に向けた長手方向に伸縮自在な連結部４０と、連結部４０を介して固定部１０と連結される補助測定部３０と、電力を供給可能な電源３４と、を備えている。
【００５２】
この補助測定部３０は、指針の端部に配置される可動接触部３２ａと、北方位の位置に配置される固定接触部３２ｂと、を有し、指針が北方位を指すことで磁北を計測すると、可動接触部３２ａが固定接触部３２ｂに接触して電源３４に接続する電路を開通させる磁気コンパス３２と、電源３４のオン・オフを切り替えるスイッチ３５と、このスイッチ３５によって電源３４がオン状態となり、磁気コンパス３２によって電路が開通されると、指針が北方位を指したことを報知する光源装置３３と、を有している。
【００５３】
また、連結部４０は、少なくとも一端側が固定部１０に対し、当該固定部１０との接続部である取付軸４１ａを中心として水平方向に回動可能に取り付けられ、他端側が補助測定部３０に対し固定されているが、一例であってこれに限ることはない。すなわち、連結部４０は一端側が固定部１０に対して固定され、他端側が補助測定部３０に対し固定用ネジ４２ａを中心として水平方向に回動可能に取り付けられていても良く、両端側がそれぞれ固定部１０および補助測定部３０に対し、回動可能に取り付けられていても良い。要は、固定部１０の磁気コンパス１２の指針が指し示す磁北に対して、偏角を補正するべく、固定部１０と補助測定部３０とを、角度を調整して接続できるものであれば良い。
【００５４】
そして、風向風速計２を仮設置した後、固定部１０に対する連結部４０の取付角度を偏角に基づいて設定すると共に、風向風速計２の設置方向における北方位に磁性体構造物が存在する場合、当該磁性体構造物を避ける位置まで連結部４０を伸縮させる。そして、この状態で光源手段３３が点灯（点滅）して報知するまで固定部１０を軸３を中心に回転させる。これにより、風向風速計２を磁気コンパス３２が北方位を指し示す磁北（真北）に設定して設置することができる。
【００５５】
従って、この測定器具設置装置１およびそれを用いた測定器具設置方法では、風向風速計２の設置の際に、固定部１０に対して回転してしまう風向風速計２を押さえるための人員が不要となり、また、その設置方位を磁気コンパス３２が北方位を指し示した際に光源装置３３の点灯（点滅）による報知で確認できる。しかも、補助測定部３０を固定部１０に対して偏角に応じてずらして取り付けることで、当該補助測定部３０を用いて偏角を補正した状態で、風向風速計２の設置方位を北方位に向けて設定可能となるため、一人で容易に且つ正確に磁北（真北）に向けて設定できる。
【００５６】
かくして、本発明の測定器具設置装置１およびそれを用いた測定器具設置方法では、風向風速計２の設置作業における労力を必要最小限とし、風向風速計２の設置方位を簡単かつ正確に設定できる。
【００５７】
このとき、回転防止部１１は、一端側に設けられ、固定部１０に取り付けられる取付部１１ａと、一端側とは反対の他端側に設けられ、風向風速計２を保持する保持部１１ｃと、を有している。そして、保持部１１ｃは、取付部１１ａ（具体的には、取付部１１ａから延設されるスライド保持部１１ｂ）に対して伸縮自在に係合されることが好ましい。
これにより、固定部１０の配置位置を低く設定しても、回転防止部１１を伸縮させることで、風向風速計２の軸３に対する回転を阻止できるので、低所においても簡単且つ性格な設置作業が可能となる。
【００５８】
また、固定部１０に、風向風速計２の設置状態の水平具合を計測する水平器１３を更に設けることで、より一層、風向風速計２を正確に設置できる。
【００５９】
なお、本発明は、請求の範囲および明細書全体から読み取ることのできる発明の要旨または思想に反しない範囲で適宜変更可能であり、そのような変更を伴う測定器具設置装置もまた本発明の技術思想に含まれる。
【００６０】
例えば、上述した実施形態では、回転防止部１１を取付部１１ａとスライド保持部１１ｂとが側面から見て略Ｌ字をなす形状で形成する場合について述べたが、本発明はこれに限らず、固定部１０と風向風速計２とを連結するように配置でき、風向風速計２の軸３に対する回転を阻止可能な形状であれば、この他種々の形状を広く適用できる。
【符号の説明】
【００６１】
１  測定器具設置装置
１０  固定部
１１  回転防止部
１２  磁気コンパス（方位計測手段）
１３  水平器（水平計測手段）
２  風向風速計（測定器具）
３  軸
３０  補助測定部
３１  取付片
３２  磁気コンパス（補助側方位計測手段）
３２ａ  可動接触部
３２ｂ  固定接触部
３３  光源装置（報知手段）
３４  電源
３５  スイッチ（切替部）
４０  連結部
４１  第一連結部
４１ａ  取付軸
４１ｂ  移動用ネジ
４１ｃ（４２ｂ）  ボタン
４１ｄ  表示窓
４２  第二連結部
４２ａ  固定用ネジ
４３  保持部
４３ａ  貫通孔
５０  取付角度調整部
５１  開口
５２  目盛
５３  角度表示部
【要約】
本発明の測定器具設置装置１は、風向風速計２の軸３を中心とした固定部１０に対する回転を一時的に阻止した状態で仮設置した後、連結部４０を回動させることによって固定部１０に対する補助測定部３０の取付角度を偏角に基づいて設定すると共に、風向風速計２の設置方向における北方位に存在する磁性体構造物を避ける位置まで連結部４０を伸縮させた状態で、風向風速計２を磁気コンパス３２が指し示す北方位に設定して設置するようになっている。これにより、風向風速計２の設置作業における労力を必要最小限とし、風向風速計２の設置方位を簡単かつ正確に設定できる。【図１】
0005981085.tif 000002
【図２】
0005981085.tif 000003
【図３】
0005981085.tif 000004
【図４】
0005981085.tif 000005
【図５】
0005981085.tif 000006